【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
施設端末と利用者が利用する可搬型通信端末との間で，アクセスポイントを介さずに直接通信を行うことにより，決済を行う決済システムであって，
前記決済システムは，
前記施設端末と前記可搬型通信端末との直接の接続が確立後，前記可搬型通信端末またはその利用者の認証処理を実行する認証処理部と，
前記認証処理が完了した可搬型通信端末またはその利用者を識別する情報を記憶するリスト記憶部と，
決済処理を実行する決済処理部と，を有しており，
前記認証処理部は，
前記認証処理が終了した可搬型通信端末またはその利用者を識別する情報を追加して前記リスト記憶部に記憶させ，
前記決済処理部は，
前記利用者の決済の情報を前記可搬型通信端末に直接送り，
前記可搬型通信端末から前記決済の情報に対する承認を受け取ると，管理サーバに決済の情報を送る，
ことを特徴とする決済システム。
【請求項２】
前記認証処理部は，
前記可搬型通信端末からの認証処理要求を受け付けると，前記管理サーバに対して，前記可搬型通信端末の利用者に関する情報を問い合わせ，
その問い合わせ結果を受け付けると，前記リスト記憶部に可搬型通信端末またはその利用者を識別する情報を追加して記憶させ，
前記決済処理部は，
前記リスト記憶部に記憶する可搬型通信端末またはその利用者の中から決済を行う利用者の選択を受け付け，
利用者の決済の情報を受け付けて前記可搬型通信端末に直接送信し，
前記可搬型通信端末から前記決済の情報に対する承認の要求を受け付けると，前記管理サーバに対して，前記利用者の決済の情報を送る，
ことを特徴とする請求項１に記載の決済システム。
【請求項３】
前記決済システムは，
前記施設端末と前記可搬型通信端末との間の接続状況を監視する接続監視部，を有しており，
前記接続監視部は，
前記施設端末と前記可搬型通信端末との間の接続が，一定時間以上，切断していることを判定した場合には，前記可搬型通信端末またはその利用者を前記リスト記憶部から削除する，
ことを特徴とする請求項１又は請求項２に記載の決済システム。
【請求項４】
前記決済処理部は、前記可搬型通信端末を介して前記管理サーバに前記決済の情報を送る，
ことを特徴とする請求項１から請求項３のいずれかに記載の決済システム。
【請求項５】
施設端末と利用者が利用する可搬型通信端末との間で，アクセスポイントを介さずに直接通信を行うことにより，決済を行う決済システムであって，
前記決済システムは，
前記施設端末と前記可搬型通信端末との直接の接続が確立後，前記可搬型通信端末またはその利用者の認証処理を実行する認証処理部と，
前記認証処理が完了した可搬型通信端末またはその利用者を識別する情報を記憶するリスト記憶部と，
決済処理を実行する決済処理部と，
決済の情報を管理する管理サーバと，を有しており，
前記認証処理部は，前記認証処理が終了した可搬型通信端末又はその利用者を識別する情報を追加して前記リスト記憶部に記憶させ，
前記決済処理部は，前記利用者の決済の情報を前記可搬型通信端末に直接送り，
前記管理サーバは，前記可搬型通信端末から前記決済の情報を受信する，
ことを特徴とする決済システム。
【請求項６】
利用者が利用する可搬型通信端末との間で，アクセスポイントを介さずに直接通信をして決済を行う施設端末を有する決済システムによる決済方法であって，
前記施設端末は，
前記可搬型通信端末との直接の接続が確立後，前記可搬型通信端末またはその利用者の認証処理を実行するステップと，
前記認証処理が完了した可搬型通信端末またはその利用者を識別する情報を記憶するステップと，
前記利用者の決済の情報を前記可搬型通信端末に直接送り，前記可搬型通信端末から前記決済の情報に対する承認を受け取ると，管理サーバに前記決済の情報を送るステップと，を実行する，
ことを特徴とする決済方法。
【請求項７】
利用者が利用する可搬型通信端末との間で，アクセスポイントを介さずに直接通信をして決済を行う施設端末と、該決済の情報を管理する管理サーバとを有する決済システムによる決済方法であって，
前記施設端末は，
前記可搬型通信端末との直接の接続が確立後，前記可搬型通信端末またはその利用者の認証処理を実行するステップと，
前記認証処理が完了した可搬型通信端末またはその利用者を識別する情報を記憶するステップと，
前記利用者の決済の情報を前記可搬型通信端末に直接送るステップとを実行し，
前記管理サーバは，前記可搬型通信端末から前記決済の情報を受信するステップを実行する，
ことを特徴とする決済方法。
【手続補正２】
【補正対象書類名】明細書
【補正対象項目名】発明の名称
【補正方法】変更
【補正の内容】
【発明の名称】決済システム及び決済方法
【手続補正３】
【補正対象書類名】明細書
【補正対象項目名】００１２
【補正方法】変更
【補正の内容】
【００１２】
第１の発明は，施設端末と利用者が利用する可搬型通信端末との間で，アクセスポイントを介さずに直接通信を行うことにより，決済を行う決済システムであって，前記決済システムは，前記施設端末と前記可搬型通信端末との直接の接続が確立後，前記可搬型通信端末またはその利用者の認証処理を実行する認証処理部と，前記認証処理が完了した可搬型通信端末またはその利用者を識別する情報を記憶するリスト記憶部と，決済処理を実行する決済処理部と，を有しており，前記認証処理部は，前記認証処理が終了した可搬型通信端末またはその利用者を識別する情報を追加して前記リスト記憶部に記憶させ，前記決済処理部は，前記利用者の決済の情報を前記可搬型通信端末に直接送り，前記可搬型通信端末から前記決済の情報に対する承認を受け取ると，管理サーバに決済の情報を送る，決済システムである。
【手続補正４】
【補正対象書類名】明細書
【補正対象項目名】００１５
【補正方法】変更
【補正の内容】
【００１５】
上述の発明において，前記認証処理部は，前記可搬型通信端末からの認証処理要求を受け付けると，前記管理サーバに対して，前記可搬型通信端末の利用者に関する情報を問い合わせ，その問い合わせ結果を受け付けると，前記リスト記憶部に可搬型通信端末またはその利用者を識別する情報を追加して記憶させ，前記決済処理部は，前記リスト記憶部に記憶する可搬型通信端末またはその利用者の中から決済を行う利用者の選択を受け付け，利用者の決済の情報を受け付けて前記可搬型通信端末に直接送信し，前記可搬型通信端末から前記決済の情報に対する承認の要求を受け付けると，前記管理サーバに対して，前記利用者の決済の情報を送る，決済システムのように構成することができる。

【手続補正５】
【補正対象書類名】明細書
【補正対象項目名】００１７
【補正方法】変更
【補正の内容】
【００１７】
上述の発明において，前記決済システムは，前記施設端末と前記可搬型通信端末との間の接続状況を監視する接続監視部，を有しており，前記接続監視部は，前記施設端末と前記可搬型通信端末との間の接続が，一定時間以上，切断していることを判定した場合には，前記可搬型通信端末またはその利用者を前記リスト記憶部から削除する，決済システムのように構成することができる。

【手続補正６】
【補正対象書類名】明細書
【補正対象項目名】００１８
【補正方法】変更
【補正の内容】
【００１８】
施設設置端末と可搬型通信端末とは近距離無線通信により通信が行われるから，たとえば店内など，限られた範囲が通信圏内となる。そのため，接続が一定時間以上切断している場合には，その利用者はすでに退店していると考えられる。そこで本発明のように処理を実行することで，すでに不要となった利用者を削除するとよい。
【手続補正７】
【補正対象書類名】明細書
【補正対象項目名】００１９
【補正方法】変更
【補正の内容】
【００１９】
上述の発明において，前記決済処理部は、前記可搬型通信端末を介して前記管理サーバに前記決済の情報を送る，決済システムのように構成することができる。
【手続補正８】
【補正対象書類名】明細書
【補正対象項目名】００２０
【補正方法】変更
【補正の内容】
【００２０】
第２の発明は，施設端末と利用者が利用する可搬型通信端末との間で，アクセスポイントを介さずに直接通信を行うことにより，決済を行う決済システムであって，前記決済システムは，前記施設端末と前記可搬型通信端末との直接の接続が確立後，前記可搬型通信端末またはその利用者の認証処理を実行する認証処理部と，前記認証処理が完了した可搬型通信端末またはその利用者を識別する情報を記憶するリスト記憶部と，決済処理を実行する決済処理部と，決済の情報を管理する管理サーバと，を有しており，前記認証処理部は，前記認証処理が終了した可搬型通信端末又はその利用者を識別する情報を追加して前記リスト記憶部に記憶させ，前記決済処理部は，前記利用者の決済の情報を前記可搬型通信端末に直接送り，前記管理サーバは，前記可搬型通信端末から前記決済の情報を受信する，決済システムのように構成することができる。

【手続補正９】
【補正対象書類名】明細書
【補正対象項目名】００２１
【補正方法】変更
【補正の内容】
【００２１】
第３の発明は，利用者が利用する可搬型通信端末との間で，アクセスポイントを介さずに直接通信をして決済を行う施設端末を有する決済システムによる決済方法であって，前記施設端末は，前記可搬型通信端末との直接の接続が確立後，前記可搬型通信端末またはその利用者の認証処理を実行するステップと，前記認証処理が完了した可搬型通信端末またはその利用者を識別する情報を記憶するステップと，前記利用者の決済の情報を前記可搬型通信端末に直接送り，前記可搬型通信端末から前記決済の情報に対する承認を受け取ると，管理サーバに前記決済の情報を送るステップと，を実行する，決済方法のように構成することができる。
また、第４の発明は，利用者が利用する可搬型通信端末との間で，アクセスポイントを介さずに直接通信をして決済を行う施設端末と、該決済の情報を管理する管理サーバとを有する決済システムによる決済方法であって，前記施設端末は，前記可搬型通信端末との直接の接続が確立後，前記可搬型通信端末またはその利用者の認証処理を実行するステップと，前記認証処理が完了した可搬型通信端末またはその利用者を識別する情報を記憶するステップと，前記利用者の決済の情報を前記可搬型通信端末に直接送るステップとを実行し，前記管理サーバは，前記可搬型通信端末から前記決済の情報を受信するステップを実行する，決済方法のように構成することができる。